【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
生物導管内の高速回転アテローム切除手技中に、少なくとも１つの治療薬を生物管腔に送達するための高速回転式アテローム切除術用システムであって、
動脈の直径よりも小さい最大直径を有するガイドワイヤと、
前記ガイドワイヤの上で前進可能である可撓性で細長い回転可能な駆動シャフトであって、前記駆動シャフトは、回転軸を有している、駆動シャフトと、
外面を備えている偏心研磨ヘッドであって、前記偏心研磨ヘッドは、前記駆動シャフトに取り付けられており、前記駆動シャフトの前記回転軸からオフセットされている質量中心を備えている、偏心研磨ヘッドと、
前記偏心研磨ヘッドの高速回転中に、前記管腔の中へ少なくとも１つの治療薬を送達する手段と、
前記偏心研磨ヘッドから離れて半径方向外向きに前記管腔壁の中へ前記少なくとも１つの治療薬を駆動して押し進める手段と
を備えている、システム。
【請求項２】
前記偏心研磨ヘッドの外面の少なくとも一部分は、前記外面に規定される少なくとも１つの区画を備え、前記区画は、前記区画の中に前記少なくとも１つの治療薬を保持することが可能である、請求項１に記載のシステム。
【請求項３】
少なくとも１つの区画を覆う一時的被覆をさらに備え、前記少なくとも１つの区画は、前記少なくとも１つの区画の中に少なくとも１つの治療薬を有しており、前記一時的被覆は、前記アテローム切除手技中に磨滅または溶解する、請求項２に記載のシステム。
【請求項４】
前記偏心研磨ヘッドから離れて半径方向外向きに前記管腔壁の中へ前記少なくとも１つの治療薬を駆動して押し進める手段は、高速回転中に前記偏心研磨ヘッドによって達成される軌道運動によって生成される遠心力を備えている、請求項１に記載のシステム。
【請求項５】
前記偏心研磨ヘッドから離れて半径方向外向きに前記管腔壁の中へ前記少なくとも１つの治療薬を駆動して押し進める手段は、高速回転中に前記治療薬の衝突および前記偏心研磨ヘッドの軌道運動によって生成される半径方向外向きの衝撃力を備えている、請求項１に記載のシステム。
【請求項６】
治療薬貯留部と、
前記治療薬貯留部と流体連通している流体供給ラインと、
治療薬送達シースであって、前記治療薬送達シースは、前記治療薬送達シースを通る管腔を備え、前記管腔は、前記治療薬貯留部と流体連通している、治療薬送達シースと、
前記治療薬貯留部と動作的に接続しているポンプと、
前記偏心研磨ヘッドを通して配置されている少なくとも１つの噴霧穴であって、前記少なくとも１つの噴霧穴は、前記治療薬送達シースの管腔と流体連通している、少なくとも１つの噴霧穴と
をさらに備えている、請求項１に記載のシステム。
【請求項７】
前記ポンプおよび前記治療薬貯留部と動作的に連通しているコントローラをさらに備えている、請求項６に記載のシステム。
【請求項８】
前記偏心研磨ヘッドから離れて半径方向外向きに前記管腔壁の中へ前記少なくとも１つの治療薬を駆動して押し進める手段は、高速回転中に前記偏心研磨ヘッドによって達成される軌道運動によって生成される遠心力を備えている、請求項６に記載のシステム。
【請求項９】
前記偏心研磨ヘッドから離れて半径方向外向きに前記管腔壁の中へ前記少なくとも１つの治療薬を駆動して押し進める手段は、高速回転中に前記治療薬の衝突および前記偏心研磨ヘッドの軌道運動によって生成される半径方向外向きの衝撃力を備えている、請求項６に記載のシステム。
【請求項１０】
非回転シースをさらに備え、前記非回転シースは、前記非回転シースを通る管腔を備え、前記駆動シャフトは、前記管腔の中で摺動可能かつ回転可能に配置され、前記非回転シースは、格納式アセンブリを備え、
前記格納式アセンブリは、
少なくとも１つの空洞化された区画を備えている遠位筐体であって、前記少なくとも１つの治療薬が事前装填されている、遠位筐体と、
拡大領域を有する遠位端を備えている格納式シースであって、前記格納式シース内に前記遠位筐体が摺動可能に嵌まり、前記格納式シースは、前記遠位筐体の前記少なくとも１つの空洞化された区画の中に事前装填されている前記少なくとも１つの治療薬を前記生物管腔に暴露させるために、後退可能である、格納式シースと
を備えている、
請求項１に記載のシステム。
【請求項１１】
前記偏心研磨ヘッドから離れて半径方向外向きに前記管腔壁の中へ前記少なくとも１つの治療薬を駆動して押し進める手段は、高速回転中に前記偏心研磨ヘッドによって達成される軌道運動によって生成される遠心力を備えている、請求項１０に記載のシステム。
【請求項１２】
前記偏心研磨ヘッドから離れて半径方向外向きに前記管腔壁の中へ前記少なくとも１つの治療薬を駆動して押し進める手段は、高速回転中に前記治療薬の衝突および前記偏心研磨ヘッドの軌道運動によって生成される半径方向外向きの衝撃力を備えている、請求項１０に記載のシステム。
【請求項１３】
前記少なくとも１つの治療薬は、前記遠位筐体の前記少なくとも１つの空洞化された区画の中へ事前装填される前に凍結させられる、請求項１０に記載のシステム。
【請求項１４】
前記少なくとも１つの治療薬は、前記遠位筐体の前記少なくとも１つの空洞化された区画の中へ事前装填される前にカプセル化される、請求項１０に記載のシステム。
【請求項１５】
生物導管内の高速回転アテローム切除手技中に、少なくとも１つの治療薬を生物管腔に送達するための高速回転式アテローム切除術用システムであって、
動脈の直径よりも小さい最大直径を有するガイドワイヤと、
前記ガイドワイヤの上で前進可能である可撓性で細長い回転可能な駆動シャフトであって、前記駆動シャフトは、回転軸を有している、駆動シャフトと、
外面を備えている偏心研磨ヘッドであって、前記偏心研磨ヘッドは、前記駆動シャフトに取り付けられており、前記駆動シャフトの前記回転軸からオフセットされている質量中心を備えている、偏心研磨ヘッドと、
前記偏心研磨ヘッドの高速回転中に、前記管腔の中へ少なくとも１つの治療薬を送達する手段と、
前記偏心研磨ヘッドから離れて半径方向外向きに、前記管腔壁の中へ前記少なくとも１つの治療薬を駆動して押し進める手段であって、
高速回転中に前記偏心研磨ヘッドによって達成される軌道運動によって生成される遠心力と、
高速回転中に前記治療薬の衝突および前記偏心研磨ヘッドの軌道運動によって生成される、半径方向外向きの衝撃力と
を備えている、手段と
を備えている、システム。
【請求項１６】
生物導管内の高速回転アテローム切除手技中に、少なくとも１つの治療薬を生物管腔に送達するための高速回転式アテローム切除術用システムであって、
動脈の直径よりも小さい最大直径を有するガイドワイヤと、
前記ガイドワイヤの上で前進可能である可撓性で細長い回転可能な駆動シャフトであって、前記駆動シャフトは、回転軸を有している、駆動シャフトと、
外面を備えている偏心研磨ヘッドであって、前記偏心研磨ヘッドは、前記駆動シャフトに取り付けられており、前記駆動シャフトの前記回転軸からオフセットされている質量中心を備えている、偏心研磨ヘッドと、
治療薬貯留部と、
前記治療薬貯留部と流体連通している流体供給ラインと、
治療薬送達シースであって、前記治療薬送達シースは、前記治療薬送達シースを通る管腔を備え、前記管腔は、前記治療薬貯留部と流体連通している、治療薬送達シースと、
前記治療薬貯留部と動作的に接続しているポンプと、
前記ポンプおよび前記治療薬貯留部と動作的に連通しているコントローラと、
非回転治療薬送達シースであって、前記シースは、前記シースを通る管腔を備え、前記駆動シャフトは、前記管腔の中で摺動可能かつ回転可能に配置され、前記非回転治療薬送達シースは、前記非回転治療薬送達シースの前記管腔内で摺動可能に配置されている膨張式バルーンをさらに備え、前記治療薬送達シースの管腔は、前記治療薬貯留部と流体連通しており、前記膨張式バルーンは、複数の細孔を備え、前記細孔は、前記治療薬送達シースの管腔と流体連通している、非回転治療薬送達シースと、
前記偏心研磨ヘッドから離れて半径方向外向きに前記管腔壁の中へ前記少なくとも１つの治療薬を駆動して押し進める手段と
を備えている、システム。
【請求項１７】
前記偏心研磨ヘッドから離れて半径方向外向きに前記管腔壁の中へ前記少なくとも１つの治療薬を駆動して押し進める手段は、高速回転中に前記偏心研磨ヘッドによって達成される軌道運動によって生成される遠心力を備えている、請求項１６に記載のシステム。
【請求項１８】
前記偏心研磨ヘッドから離れて半径方向外向きに前記管腔壁の中へ前記少なくとも１つの治療薬を駆動して押し進める手段は、高速回転中に前記治療薬の衝突および前記偏心研磨ヘッドの軌道運動によって生成される半径方向外向きの衝撃力を備えている、請求項１６に記載のシステム。